(57)【要約】【課題】  本願は、屋根改修等において、波形スレート屋根に孔をあけることなく波形金属屋根材を取り付けることができ、様々な寸法の波形金属屋根材を取り付けることができる取付構造を提供することを目的とする。【解決手段】  本願は、波形スレート屋根上に波形金属屋根材が取り付けられた構造である。固定具は、波形スレート屋根を固定しているフックボルトに取り付けられる。補助固定具は、上面と、上面の両端から外側下方にのびる支持脚を有する。この補助固定具は、波形スレート屋根の山部上に上面が配置され、波形スレート屋根の谷部に支持脚下端が載置されている。そして、固定具上および補助固定具上に波形金属屋根材が止着具で固定されている。【選択図】  図５
2020183665.tif 000002
【特許請求の範囲】
【請求項１】
波形スレート屋根上に波形金属屋根材が取り付けられた構造であって、
固定具は、
波形スレート屋根を固定しているフックボルトに取り付けられ、
補助固定具は、
上面と、
上面の両端から外側下方にのびる支持脚を有し、
波形スレート屋根の山部上に上面が配置され、
波形スレート屋根の谷部に支持脚下端が載置されており、
固定具上および補助固定具上に波形金属屋根材が止着具で固定されている
波形金属屋根材の取付構造。
【発明の詳細な説明】
【技術分野】
【０００１】
本願は、屋根改修等において、波形スレート屋根に孔をあけることなく波形金属屋根材を取り付けることができ、様々な寸法の波形金属屋根材を取り付けることができる取付構造を提供することを目的とする。
【背景技術】
【０００２】
従来技術について、図１０で説明する。
【０００３】
図１０は、特開２０１０−６５５０６号公報にて公開されているスレート葺屋根における新設屋根材取付方法及び取付け作業器に関する技術である。この技術は、既設スレート葺屋根１における母屋材位置に当たる凸面部上に基板部と吊枠板５部から成る台金具を配置し、この台金具の基板の長手方向中央部に弯形部６を形成するとともにこの弯形部の一端部中央に開口部につづく長孔を設け、前記既設屋根の母屋材に下端部を掛止めるフックボルト２０の上端部を前記台金具の長孔に螺着し、左右対称に成るレール材の前後両端部を各脚台上に設置し、一方の脚台の支板と立板との間に先端に係止部を有する固定具を設け、他方の脚台のレール材端部上に設けた支台の上端部間に作業杆の基端部を枢着し、この作業杆の適所に設けたガイド板の当接板を前記固定具との間に配置した前記台金具に抑止し、台金具の固定状態下において新設の屋根板２６の適所に螺子２５を内側の吊枠板の凸状上面部に取付けるものである。
【先行技術文献】
【特許文献】
【０００４】
【特許文献１】特開２０１０−６５５０６号公報
【発明の概要】
【発明が解決しようとする課題】
【０００５】
図１０に示した先行技術では、既設屋根上のフックボルトの位置で、新設屋根が固定される必要がある。そのため、既設屋根の取付寸法に応じた新設屋根を用意する必要があった。たとえば、屋根の桁行方向で隣り合うフックボルト同士の間隔と、新設屋根の寸法が合わない場合、フックボルトのない山部においては既設屋根に穿孔する必要があった。また、屋根の桁行方向において、既設屋根上のフックボルト同士の離隔距離が大きい場合、新設屋根の沈みこみが発生する恐れがあった。
【課題を解決するための手段】
【０００６】
本願は、波形スレート屋根上に波形金属屋根材が取り付けられた構造である。固定具は、波形スレート屋根を固定しているフックボルトに取り付けられる。補助固定具は、上面と、上面の両端から外側下方にのびる支持脚を有する。この補助固定具は、波形スレート屋根の山部上に上面が配置され、波形スレート屋根の谷部に支持脚下端が載置されている。そして、固定具上および補助固定具上に波形金属屋根材が止着具で固定されている。
【発明の効果】
【０００７】
本願は、波形金属屋根材が波形スレート屋根上のフックボルトの位置で固定具に固定されるのに加え、フックボルトのない位置でも補助固定具に固定される。そのため、たとえば、屋根の桁行方向で隣り合うフックボルト同士の間隔と、波形金属屋根材の寸法が合わない場合であっても、フックボルトのない山部においては補助固定具を載置して用いるだけでよく、波形スレート屋根に穿孔する必要がない。また、屋根の桁行方向において、波形スレート屋根上のフックボルト同士の離隔距離が大きい場合でも、波形金属屋根材が補助固定具で支持されるので、沈みこみが発生しにくい。
【図面の簡単な説明】
【０００８】
【図１】本願の波形金属屋根材の取付構造における固定具の実施例を示す説明図である。
【図２】本願の波形金属屋根材の取付構造における固定具の実施例を示す説明図である。
【図３】本願の波形金属屋根材の取付構造における上部材（固定具）の実施例を示す説明図である。
【図４】本願の波形金属屋根材の取付構造における下部材（固定具）の実施例を示す説明図である。
【図５】本願の波形金属屋根材の取付構造における補助固定具の実施例を示す説明図である。
【図６】本願の波形金属屋根材の取付構造における補助固定具の実施例を示す説明図である。
【図７】本願の波形金属屋根材の取付構造の実施例を示す説明図である。
【図８】本願の波形金属屋根材の取付構造の実施例を示す説明図である。
【図９】本願の波形金属屋根材の取付構造の実施例を示す説明図である。
【図１０】従来技術の説明図である。
【実施例】
【０００９】
本願の波形金属屋根材の取付構造について、図１から図９までにより説明する。図１は、本願の波形金属屋根材の取付構造における固定具の実施例を示す斜視図である。図２は、本願の波形金属屋根材の取付構造における固定具の実施例を示す正面図である。図３は、本願の波形金属屋根材の取付構造における上部材（固定具）の実施例を示す斜視図である。図４は、本願の波形金属屋根材の取付構造における下部材（固定具）の実施例を示す斜視図である。図５は、本願の波形金属屋根材の取付構造における補助固定具の実施例を示す斜視図である。図６は、本願の波形金属屋根材の取付構造における補助固定具の実施例を示す正面図である。図７から図９までは、本願の波形金属屋根材の取付構造の実施例を示す説明図（正面図）である。
【００１０】
本実施例の波形スレート屋根Ｓは、山部Ｓ１および谷部Ｓ２が形成されている屋根材が、フックボルトＦを用いて屋根下地に固定されている。このフックボルトＦは、波形スレート屋根Ｓの山部Ｓ１より表面側に突出されている。このフックボルトＦは、波形スレート屋根Ｓのすべての山部Ｓ１から突出されているわけではない。したがって、フックボルトＦが突出されていない山部Ｓ１もある。
【００１１】
本実施例の波形金属屋根材Ｎは、山部Ｎ１および谷部Ｎ２が形成されている屋根材で、山部Ｎ１の表面側から止着具Ｂを打ち込んで、屋根に固定される。本実施例の波形金属屋根材Ｎの山部Ｎ１および谷部Ｎ２の形成ピッチは、波形スレート屋根Ｓの山部Ｓ１および谷部Ｓ２の形成ピッチと同じであることが望ましい。
【００１２】
本実施例の固定具Ｋには、山部Ｎ１と谷部Ｎ２が形成された波形金属屋根材Ｎが取り付けられる。本実施例の固定具Ｋは、波形スレート屋根Ｓ上のフックボルトＦに複数のものが固定され、その上に波形金属屋根材Ｎがかぶせられ、波形金属屋根材Ｎの表面側から固定具Ｋにビスなどの止着具Ｂが打ち込まれて固定される。
【００１３】
本実施例の固定具Ｋは、上方に凸となる湾曲に形成された上面に複数条の溝線Ｋ１１１が形成された波形金属屋根材取付部Ｋ１１を有する。上面の湾曲頂部は、本実施例の固定具Ｋが波形スレート屋根ＳのフックボルトＦに取り付けられたときに、屋根の流れ方向と略平行となるように形成されている。また、複数条の溝線Ｋ１１１も、本実施例の固定具Ｋが波形スレート屋根Ｓ上のフックボルトＦに取り付けられたときに、屋根の流れ方向と略平行になる方向に形成されている。
【００１４】
波形スレート屋根Ｓ上においてフックボルトＦが垂直でない場合、本実施例の固定具Ｋも傾いた状態で取り付けられる。しかし、本実施例の固定具Ｋは、上方に凸となる湾曲に形成された上面になっている。そこが波形金属屋根材Ｎ裏面に対して当接される構造になっているので、波形金属屋根材Ｎに金具痕が出てしまうことがない。なお、上方に凸となる湾曲は、波形スレート屋根Ｓの山部Ｓ１の半径に本実施例の固定具Ｋの高さ寸法を加算した半径で形成されているのが望ましい。
【００１５】
また、波形金属屋根材Ｎの表面側から固定具Ｋにビスなどの止着具Ｂが打ち込まれる際、止着具Ｂの先端が溝線Ｋ１１１に引っかかる構造になっており、固定具Ｋ上を滑って刺しにくくなることがない。なお、溝線Ｋ１１１の条数、溝線Ｋ１１１・Ｋ１１１同士の間隔は問わないが、止着具Ｂが打ち込まれる際、その先端が当たりうる範囲にわたって、波形金属屋根材取付部Ｋ１１上を滑らない程度の間隔で溝線Ｋ１１１が形成されていることが望ましい。
【００１６】
本実施例の固定具Ｋは、上部材Ｋ１と下部材Ｋ２で構成されている。そのため、上部材Ｋ１、下部材Ｋ２のどちらかを変えるだけで、波形金属屋根材Ｎの取付高さを調整できる。そのため、上部材Ｋ１と下部材Ｋ２、どちらかを取付高さを問わない共通部材とすることができる。さらに、上部材Ｋ１と下部材Ｋ２、どちらで取付高さを調整してもよいので、設計の自由度が高い。
【００１７】
本実施例の上部材Ｋ１は、上方に凸となる湾曲に形成された上面に複数条の溝線Ｋ１１１が形成された波形金属屋根材取付部Ｋ１１が形成されている。また、本実施例の上部材Ｋ１は、波形金属屋根材取付部Ｋ１１の一対の両端縁から下方にのびる脚部Ｋ１２・Ｋ１２と、脚部Ｋ１２・Ｋ１２の下端にスライド部Ｋ１３・Ｋ１３を有している。この一対の両端縁は、溝線Ｋ１１１と平行な直線状になっている側の端縁である。波形金属屋根材取付部Ｋ１１の一対の両端縁は、本実施例の波形金属屋根材取付部Ｋ１１が波形スレート屋根Ｓ上のフックボルトＦに取り付けられたときに、屋根の妻側に対面する向きに配置される。
【００１８】
本実施例において、脚部Ｋ１２・Ｋ１２は、波形金属屋根材取付部Ｋ１１の一対の両端縁から下方、すなわち、波形金属屋根材取付部Ｋ１１の一対の両端縁から波形スレート屋根Ｓ側に向けて形成されている。この脚部Ｋ１２の高さ寸法によって、すなわち、本実施例の上部材Ｋ１によって、波形金属屋根材Ｎの取付高さを調整できる。
【００１９】
本実施例の上部材Ｋ１は、脚部Ｋ１２・Ｋ１２の下端にスライド部Ｋ１３・Ｋ１３を有している。本実施例の上部材Ｋ１は、脚部Ｋ１２・Ｋ１２の下端に内側当接部、外側当接部が形成されており、下部材Ｋ２の被スライド部Ｋ２３を外側から抱持するような形状になっている。そのため、スライド部Ｋ１３と被スライド部Ｋ２３を係合させると、上部材が取り付けられる上下位置及び桁行位置が固定され、屋根の流れ方向のみにスライドされる構造になる。また、本実施例は、下部材Ｋ２の被スライド部Ｋ２３を外側から抱持するような形状になっているので、外側にするどい端縁が突出することがなく、波形金属屋根材Ｎの裏面を傷つけにくい構造になっている。
【００２０】
なお、本実施例のスライド部Ｋ１３及び被スライド部Ｋ２３の形状及び構造は一例であり、スライド部Ｋ１３と被スライド部Ｋ２３が係合されたときに、上部材Ｋ１が取り付けられる上下位置及び桁行方向における位置が固定され、屋根の流れ方向のみにスライドされる構造であればよい。
【００２１】
本実施例の下部材Ｋ２は、フックボルト固定部Ｋ２１１を有する底面Ｋ２１を有する。波形スレート屋根Ｓの山部Ｓ１の形状にあわせて、本実施例において、底面Ｋ２１は上方に凸となる湾曲に形成されている。
【００２２】
また、本実施例の下部材Ｋ２が波形スレート屋根Ｓ上のフックボルトＦに取り付けられる際、水下側になる端部から底辺略中央部にかけて、切り込みによってフックボルト固定部Ｋ２１１が形成されている。このフックボルト固定部Ｋ２１１は、波形スレート屋根Ｓ上のフックボルトＦに係合され、下部材Ｋ２を波形スレート屋根Ｓ上のフックボルトＦに固定するために用いられる。そのため、波形スレート屋根Ｓに孔をあけることなく、波形金属屋根材Ｎを取り付けることができる。
【００２３】
本実施例において、下部材Ｋ２の水上側端部は、上方に折り曲げられ、打撃受部Ｋ２４が形成されている。下部材Ｋ２は、フックボルト固定部Ｋ２１１が波形スレート屋根Ｓ上のフックボルトＦに係合され、打撃受部Ｋ２４がハンマー等によって打擲されることによって、波形スレート屋根Ｓ上のフックボルトＦに固定される。
【００２４】
本実施例の下部材Ｋ２は、底面Ｋ２１の一対の両端縁から上方にのびる支承部Ｋ２２が形成されている。底面Ｋ２１の一対の両端縁は、本実施例の波形金属屋根材取付部Ｋ１１が波形スレート屋根Ｓ上のフックボルトＦに取り付けられたときに、屋根の妻側に対面する向きに配置される。本実施例において、支承部Ｋ２２は、底面Ｋ２１の一対の端縁から上方、すなわち、底面Ｋ２１の一対の両端縁から波形金属屋根材Ｎ側に向けて形成されている。この支承部Ｋ２２の高さ寸法によって、すなわち、本実施例の下部材Ｋ２によって、波形金属屋根材Ｎの取付高さを調整できる。
【００２５】
本実施例の下部材Ｋ２は、支承部Ｋ２２の上端に被スライド部Ｋ２３を有する。本実施例において、被スライド部Ｋ２３は、支承部Ｋ２２の上端が外側に折り曲げられるとともに、折り曲げられた部分に切り欠きが形成され、外側及び内側双方に端縁が突出している構造になっている。本実施例では、被スライド部Ｋ２３の外側端縁及び内側端縁が、スライド部Ｋ１３の外側当接部及び内側当接部に強く当接される構造になっている。その構造によって、スライド部Ｋ１３と被スライド部Ｋ２３を一旦係合されると抜けにくい状態に、上部材Ｋ１と下部材Ｋ２が一体化される。この一体化に当たっては、鋲子などの追加部材も必要なく、コストを低く抑えることができる。
【００２６】
本実施例の下部材Ｋ２は、被スライド部Ｋ２３の一端に止め部Ｋ２３１が形成されている。この止め部Ｋ２３１に、スライド部Ｋ１３の水下側端縁が当接する位置が、上部材Ｋ１と下部材Ｋ２の適正な組合せ位置となる。また、スライド部Ｋ１３と被スライド部Ｋ２３の係合がゆるい場合でも、この止め部Ｋ２３１によって、上部材Ｋ１が下部材Ｋ２の水下側に滑落するのを防ぐことができる。
【００２７】
本実施例の補助固定具Ｈは、上面Ｈ１と、上面Ｈ１の両端から外側下方にのびる支持脚Ｈ１２を有する。本実施例の補助固定具Ｈの上面Ｈ１には、複数条の溝線Ｈ１１１が形成された波形金属屋根材取付部Ｈ１１が形成されている。この複数条の溝線Ｈ１１１は、本実施例の補助固定具Ｈが波形スレート屋根Ｓ上に設置されたときに、屋根の流れ方向と略平行になる方向に形成されている。
【００２８】
波形金属屋根材Ｎの山部Ｎ１および谷部Ｎ２の形成ピッチと、波形スレート屋根Ｓの山部Ｎ１および谷部Ｎ２の形成ピッチとが同じである場合、本実施例の補助固定具Ｈは、波形金属屋根材Ｎ・Ｎ同士の重なり部が波形スレート屋根ＳのフックボルトＦのない山部Ｓ１上に当たる場合に設置される。もし、波形スレート屋根Ｓと波形金属屋根材Ｎの桁行寸法も同じであれば、波形金属屋根材Ｎ・Ｎ同士の重なり部は、必ず波形スレート屋根ＳのフックボルトＦのある山部Ｓ１上に当たる。しかし、波形スレート屋根Ｓと波形金属屋根材Ｎの桁行寸法が異なる場合、波形金属屋根材Ｎ・Ｎ同士の重なり部は、必ずしも波形スレート屋根ＳのフックボルトＦのある山部Ｓ１上に当たるとは限らない。したがって、本実施例の補助固定具Ｈは、隣り合う波形金属屋根材Ｎ・Ｎ同士の重なり部を固定するために用いられる。
【００２９】
本実施例の補助固定具Ｈは、波形金属屋根材Ｎの表面側から補助固定具Ｈの上面Ｈ１１にビスなどの止着具Ｂが打ち込まれる際、止着具Ｂの先端が溝線Ｈ１１１に引っかかる構造になっており、補助固定具Ｈ上を滑って刺しにくくなることがない。なお、溝線Ｈ１１１の条数、溝線Ｈ１１１・Ｈ１１１同士の間隔は問わないが、止着具Ｂが打ち込まれる際、その先端が当たりうる範囲にわたって、波形金属屋根材取付部Ｈ１１上を滑らない程度の間隔で溝線Ｈ１１１が形成されていることが望ましい。
【００３０】
本実施例の補助固定具Ｈの上面Ｈ１は、上方に凸となる湾曲に形成されていることが望ましい。たとえば、支持脚Ｈ１２の一方が波形スレート屋根Ｓ・Ｓ同士の重なり部上に配置され、補助固定具Ｈが傾いた状態で設置される場合がある。その場合、本実施例の補助固定具Ｈの場合は、上面Ｈ１が上方に凸となる湾曲に形成されているので、そこが波形金属屋根材Ｎ裏面に対して当接される構造になっている。そのため、波形金属屋根材Ｎに金具痕が出てしまうことがない。なお、上方に凸となる湾曲は、波形スレート屋根Ｓの山部Ｓ１の半径に本実施例の補助固定具Ｈの高さ寸法を加算した半径で形成されているのが望ましい。
【００３１】
本実施例の補助固定具Ｈは、波形スレート屋根Ｓの山部Ｓ１上に上面Ｈ１が配置され、波形スレート屋根Ｓの谷部Ｓ２に支持脚Ｈ１２・Ｈ１２下端が載置される。このとき、波形スレート屋根Ｓの山部Ｓ１と、補助固定具Ｈの間に空間が形成されている。この空間により、波形金属屋根材Ｎを固定する止着具Ｂが、波形スレート屋根Ｓに届かない構造になっている。
【００３２】
本実施例の支持脚Ｈ１２下端は、下方に凸状の湾曲面となっている。このような形状になっていることによって、波形スレート屋根Ｓを傷つけにくくなるうえ、支持脚Ｈ１２下端が波形スレート屋根Ｓの谷部Ｓ２にフィットし、本実施例の補助固定具Ｈが安定した状態に載置された状態になる。また、支持脚Ｈ１２の一方が波形スレート屋根Ｓ・Ｓ同士の重なり部上に配置され、補助固定具Ｈが傾いた状態で設置される場合でも同様に、支持脚Ｈ１２下端が波形スレート屋根Ｓの谷部Ｓ２にフィットし、本実施例の補助固定具Ｈが安定した状態に載置された状態になる。さらに、本実施例の支持脚Ｈ１２下端表面に数条の溝線が形成されていてもよい。数条の溝線が形成されていることによって、波形スレート屋根Ｓ上において滑りにくくなる。
【００３３】
本実施例の補助固定具Ｈには、山部Ｎ１と谷部Ｎ２が形成された波形金属屋根材Ｎが取り付けられる。波形スレート屋根Ｓ上のフックボルトＦに固定された固定具Ｋに加え、本実施例の補助固定具Ｈが、波形スレート屋根Ｓの山部Ｓ１上に上面Ｈ１が配置され、波形スレート屋根Ｓの谷部Ｓ２に支持脚Ｈ１２・Ｈ１２下端が載置される。そして、これらの固定具Ｋおよび補助固定具Ｈ上に、波形金属屋根材Ｎがかぶせられ、波形金属屋根材Ｎの表面側からビスなどの止着具Ｂが、固定具Ｋおよび補助固定具Ｈに打ち込まれて固定される。
【００３４】
このとき、１枚の波形金属屋根材Ｎが、固定具Ｋによって、２山以上で固定されている場合、補助固定具Ｈは必ずしも波形スレート屋根Ｓに固定されていなくともよい。それは、１枚の波形金属屋根材Ｎが２山以上で固定されていることで通常の取付構造と同等な設計強度が確保されており、隣り合う波形金属屋根材Ｎ・Ｎの端部同士が固定具Ｋ上又は補助固定具Ｈ上で止着具Ｂによって結合されているので、風等でめくれ上がる恐れもないからである。
【００３５】
このように、補助固定具Ｈが波形スレート屋根Ｓに固定されない構造にすることで、波形スレート屋根Ｓに孔をあけることなく、波形金属屋根材Ｎを取り付けることができる。
【００３６】
次に、本願の波形金属屋根材の取付構造について説明する。本実施例の固定具Ｋが、波形スレート屋根Ｓ上のフックボルトＦに固定される。さらに、本実施例の補助固定具Ｈが、波形スレート屋根Ｓの山部Ｓ１上に上面Ｈ１が配置され、波形スレート屋根Ｓの谷部Ｓ２に支持脚Ｈ１２下端が載置される。本実施例の固定具Ｋおよび補助固定具Ｈの湾曲に形成された上面Ｈ１に、波形金属屋根材Ｎの山部Ｎ１が取り付けられている。このとき、波形金属屋根材Ｎが当接している部分は、本実施例の固定具Ｋの湾曲に形成された上面、および補助固定具Ｈの湾曲に形成された上面Ｈ１の中央部とは限らない。本実施例の固定具Ｋの湾曲に形成された上面および補助固定具Ｈの湾曲に形成された上面Ｈ１の一部と、波形金属屋根材Ｎが当接していればよい。すなわち、当接されている位置は、本実施例の固定具Ｋの上面および補助固定具Ｈの上面Ｈ１であれば、任意である。
【００３７】
本願の波形金属屋根材の取付構造は、複数の固定具Ｋが波形スレート屋根Ｓ上のフックボルトＦに固定される。そして、複数の補助固定具Ｈが波形スレート屋根Ｓの山部Ｓ１上に上面Ｈ１が配置され、波形スレート屋根Ｓの谷部Ｓ２に支持脚Ｈ１２下端が載置される。それらの上に波形金属屋根材Ｎがかぶせられ、波形金属屋根材Ｎの表面側から固定具Ｋおよび補助固定具Ｈに向けてビスなどの止着具Ｂが打ち込まれて固定される。このとき、波形スレート屋根Ｓには、止着具Ｂが届かない構造になっているので、孔があけられることがない。
【符号の説明】
【００３８】
Ｋ          固定具
Ｋ１        上部材
Ｋ１１      波形金属屋根材取付部
Ｋ１１１    溝線
Ｋ１２      脚部
Ｋ１３      スライド部
Ｋ２        下部材
Ｋ２１      底面
Ｋ２１１    フックボルト固定部
Ｋ２２      支承部
Ｋ２３      被スライド部
Ｋ２３１    止め部
Ｋ２４      打撃受部
Ｈ          補助固定具
Ｈ１        上面
Ｈ１１      波形金属屋根材取付部
Ｈ１１１    溝線
Ｈ１２      支持脚
Ｓ          波形スレート屋根
Ｓ１        山部
Ｓ２        谷部
Ｆ          フックボルト
Ｎ          波形金属屋根材
Ｎ１        山部
Ｎ２        谷部
Ｂ          止着具
【図１】
2020183665.tif 000003
【図２】
2020183665.tif 000004
【図３】
2020183665.tif 000005
【図４】
2020183665.tif 000006
【図５】
2020183665.tif 000007
【図６】
2020183665.tif 000008
【図７】
2020183665.tif 000009
【図８】
2020183665.tif 000010
【図９】
2020183665.tif 000011
【図１０】
2020183665.tif 000012